(57)【要約】【課題】停電前の運転が除霜運転だった場合、停電復帰後に転再開したときは除霜運転で再開となるが、室外熱交換器１４のフィンに着霜した霜が通常運転を行うのに支障がない程度に除去されている時は、停電復帰後の除霜運転の再開は無駄になってしまっているという問題があった。【解決手段】室外制御部９に停電復帰後に除霜運転の要否を判定する停電復帰時除霜要否判定手段２７を備え、停電時復帰制御手段２６は、停電時記憶手段２５が除霜運転を記憶していた場合であっても、停電復帰時除霜要否判定手段２７が除霜不要と判定すると、除霜運転を再開させずに暖房運転に切り替えて運転を再開させる。【選択図】図１
2016180551.tif 000002
【特許請求の範囲】
【請求項１】
圧縮機、冷房サイクルと暖房サイクルとを切り換える四方弁、室内熱交換器、膨張弁、室外熱交換器を冷媒配管で連通して冷凍回路を形成し、前記冷凍回路の前記四方弁の切り替えによって、冷房運転と、暖房運転と、除霜運転を含む通常運転を制御する室外制御部を備え、前記室外制御部には、停電時に停電直前の少なくとも暖房運転と暖房運転時の除霜運転を含む通常運転の種類を記憶する停電時記憶手段と、停電復帰時に前記停電時記憶手段で記憶した前記通常運転の種類で運転を再開させる停電復帰時制御手段とを備えた空気調和機において、前記室外制御部に停電復帰後に除霜運転の要否を判定する停電復帰時除霜要否判定手段を備え、前記停電時復帰制御手段は、前記停電時記憶手段が除霜運転を記憶していた場合であっても、前記停電復帰時除霜要否判定手段が除霜不要と判定すると、除霜運転を再開させずに暖房運転に切り替えて運転を再開させることを特徴とする空気調和機の運転制御装置。
【請求項２】
前記除霜運転には、前記冷凍回路を前記冷房サイクルにして行う第１の除霜運転と前記冷凍回路を前記暖房サイクルにして行う第２の除霜運転の少なくとも２種類があり、前記停電時記憶手段は、前記停電時記憶手段は前記除霜運転の種類を区別して記憶し、前記停電時記憶手段で記憶した前記除霜運転の種類に応じて、除霜運転の要否を判定する基準を変更することを特徴とする請求項１記載の空気調和機の運転制御装置。
【請求項３】
前記停電時記憶手段は、停電前が前記除霜運転だったときは、停電前の除霜運転が継続した時間の除霜運転継続時間を記憶し、前記停電復帰時除霜要否判定手段は、前記停電時記憶手段が除霜運転を記憶していた場合であっても、前記除霜運転継続時間が所定時間よりも長いと、前記停電復帰時除霜要否判定手段が除霜不要と判定し、除霜運転を再開させずに暖房運転に切り替えて運転を再開させることを特徴とする請求項１または２記載の空気調和機の運転制御装置。
【請求項４】
前記室外制御部に、前記室外熱交換器の膨張弁側の冷媒配管に設けられた前記冷凍回路内の冷媒の温度を検出する室外熱交冷媒温度センサと、前記圧縮機の吸入側の冷媒配管に設けられた前記冷凍回路内の冷媒の温度を検出する吸入温度センサとを備え、前記停電復帰時除霜要否判定手段は、前記停電時記憶手段が除霜運転を記憶していた場合であっても、停電前の除霜運転が前記冷凍回路を前記冷房サイクルにして行う第１の除霜運転であり、前記室外熱交冷媒温度センサで検出した熱交冷媒温度が所定熱交冷媒温度よりも高い場合、または、停電前の除霜運転が前記冷凍回路を前記暖房サイクルにして行う第２の除霜運転であり、前記吸入温度センサで検出した吸入温度が所定吸入温度よりも高い場合は、前記停電復帰時除霜要否判定手段で除霜不要と判定し、除霜運転を再開させずに暖房運転に切り替えて運転を再開させることを特徴とする請求項１から３のいずれか記載の空気調和機の運転制御装置。
【発明の詳細な説明】
【技術分野】
【０００１】
この発明は、空気調和機に係わり、停電復帰後に除霜運転を行うか否かを判断する運転制御装置に関するものである。
【背景技術】
【０００２】
従来、この種の物に於いて、運転を開始した後に、停電等が発生した場合には、運転状態をマイコンに備えられたＥＥＰＲＯＭ等の不揮発性の記憶装置に記憶させておき、この記憶に基づいて、電源復帰時に自動的に運転を再開させている（特許文献１）。
【先行技術文献】
【特許文献】
【０００３】
【特許文献１】特開２００１−２４１７４０号公報
【発明の概要】
【発明が解決しようとする課題】
【０００４】
しかし、この従来のものでは、停電前の運転が除霜運転だった場合は、運転再開したときは除霜運転となるが、停電前の除霜運転で室外機の熱交換器のフィンに着霜した霜が、通常運転を行うのに支障がない程度に除去されている時は、停電復帰後の除霜運転の再開は無駄になってしまうという問題があった。
【課題を解決するための手段】
【０００５】
本発明は上記課題を解決するため、圧縮機、冷房サイクルと暖房サイクルとを切り換える四方弁、室内熱交換器、膨張弁、室外熱交換器を冷媒配管で連通して冷凍回路を形成し、前記冷凍回路の前記四方弁の切り替えによって、冷房運転と、暖房運転と、除霜運転を含む通常運転を制御する室外制御部を備え、前記室外制御部には、停電時に停電直前の少なくとも暖房運転と暖房運転時の除霜運転を含む運転の種類を記憶する停電時記憶手段と、停電復帰時に前記停電時記憶手段で記憶した前記通常運転の種類で運転を再開させる停電復帰時制御手段とを備えた空気調和機において、前記室外制御部に停電復帰後に除霜運転の要否を判定する停電復帰時除霜要否判定手段を備え、前記停電時復帰制御手段は、前記停電時記憶手段が除霜運転を記憶していた場合であっても、前記停電復帰時除霜要否判定手段が除霜不要と判定すると、除霜運転を再開させずに暖房運転に切り替えて運転を再開させる。
【０００６】
また、前記除霜運転には、前記冷凍回路を前記冷房サイクルにして行う第１の除霜運転と前記冷凍回路を前記暖房サイクルにして行う第２の除霜運転の少なくとも２種類があり、前記停電時記憶手段は、前記停電時記憶手段は前記除霜運転の種類を区別して記憶し、前記停電時記憶手段で記憶した前記除霜運転の種類に応じて、除霜運転の要否を判定する基準を変更する。
【０００７】
また、前記停電時記憶手段は、停電前が前記除霜運転だったときは、停電前の除霜運転が継続した時間の除霜運転継続時間を記憶し、前記停電時復帰時除霜要否判定手段は、停電時記憶手段が除霜運転を記憶していた場合であっても、前記除霜運転継続時間が所定時間よりも長いと、停電復帰時除霜要否判定手段が除霜不要と判定し、除霜運転を再開させずに暖房運転に切り替えて運転を再開させる。
【０００８】
また、前記室外制御部に、前記室外熱交換器の膨張弁側の冷媒配管に設けられた前記冷凍回路内の冷媒の温度を検出する室外熱交冷媒温度センサと、前記圧縮機の吸入側の冷媒配管に設けられた前記冷凍回路内の冷媒の温度を検出する吸入温度センサとを備え、前記停電時復帰時除霜要否判定手段は、停電時記憶手段が除霜運転を記憶していた場合であっても、停電前の除霜運転が前記冷凍回路を前記冷房サイクルにして行う第１の除霜運転であり、前記室外熱交冷媒温度センサで検出した熱交冷媒温度が所定熱交冷媒温度よりも高い場合、または、停電前の除霜運転が前記冷凍回路を前記暖房サイクルにして行う第２の除霜運転であり、前記吸入温度センサで検出した吸入温度が所定吸入温度よりも高い場合は、停電復帰時除霜要否判定手段で除霜不要と判定し、除霜運転を再開させずに暖房運転に切り替えて運転を再開させる。
【発明の効果】
【０００９】
本発明によれば、前記停電復帰時除霜要否判定手段が停電復帰時に除霜運転が必要無いと判定した場合、前記停電時制御手段は除霜運転を再開させずに暖房運転に切り替えて運転を再開させることで、停電復帰後に不必要な除霜運転を行うことを防止することができ、効率的な暖房運転を行うことができる。
【００１０】
また、前記冷凍回路を冷房サイクルにして行う第１の除霜運転と前記冷凍回路を暖房サイクルにして行う第２の除霜運転との除霜運転の種類に応じて、除霜運転の要否を判定する基準を変更して設定することで、前記除霜運転の種類の違いで除霜要否が異なる場合でも停電復帰後に不必要な除霜運転を行うことを防止することができ、効率的な暖房運転を行うことができる。
【００１１】
また、前記停電復帰時除霜要否判定手段の除霜運転の要否の判定を前記除霜運転継続時間に基づいて決めることで、停電前に行っていた前記除霜運転継続時間が所定時間よりも長い場合は、停電前の除霜運転で前記室外熱交換器が充分に温められるので、停電後の除霜運転は必要無いと判定し、前記停電復帰時除霜制御手段は除霜運転を再開させずに暖房運転に切り替えて運転を再開させることで、停電復帰後に不必要な除霜運転を行うことを防止することができ、効率的な暖房運転を行うことができる。
【００１２】
また、前記停電復帰時除霜要否判定手段の除霜運転の要否の判定を、停電前の除霜運転が冷房サイクルによる時は、停電復帰後の前記熱交冷媒温度センサで検出した熱交冷媒温度で停電後の除霜運転の要否を判定することで、停電前の除霜運転が暖房サイクルによる時は、停電復帰後の前記吸入温度センサで検出した吸入温度で停電後の要否を判定することで、停電復帰後に前記室外熱交換器から出た冷媒の温度を、停電前が冷房サイクルでの除霜運転なら前記熱交冷媒温度センサ、停電前が暖房サイクルでの除霜運転なら前記吸入温度センサで検出し、停電復帰後に前記室外熱交換器から出る冷媒の温度が所定の温度よりも高ければ、停電復帰後も前記室外熱交換器内の冷媒は温かい状態が続いているので、停電後の除霜運転は必要無いと判定し、前記停電復帰時除霜制御手段は除霜運転を再開させずに暖房運転に切り替えて運転を再開させることで、停電復帰後に不必要な除霜運転を行うことを防止することができ、効率的な暖房運転を行うことができる。
【図面の簡単な説明】
【００１３】
【図１】この発明の一実施例の概略説明図
【図２】同要部のフローチャート図
【発明を実施するための形態】
【００１４】
次に、本発明の実施形態の空気調和機の構成について図面に基づいて説明する。
１は空気調和機の室内機で、この室内機１側に設置されたリモコン２は、空気調和機の運転及び停止スイッチと、室内側の冷房及び暖房温度設定スイッチ、及び空気調和機の運転停止時刻の予約設定可能なタイマー設定スイッチ等のスイッチ類３と、温度や時間を液晶パネル等で表示する表示部４とを設けている。
【００１５】
５は室内制御部で、前記リモコン２で設定された暖房温度や運転信号が入ると、室内機１内に備えた送風経路（図示せず）の吸込側に位置する、室温センサ６から送られてくる室温を読み込み、運転条件を指令する。前記室内制御部５によって行われるこの運転指令は二系統あって、一つは室内送風モータ７を制御し、もう一つは室外機８の室外制御部９に運転条件信号を送る。
そして、室外制御部９は送られてきた運転条件に基づいて、冷房運転と、暖房運転と、除霜運転を含む通常運転を制御する。
【００１６】
前記室温センサ６の下流側にはフィンチューブ式の室内熱交換器１０を備え、前記室内送風モータ７の作動で、室内送風ファン１１が回転して室内熱交換器１０にて温度調節された空気を室内に吹き出して室温の調節を行うものである。
【００１７】
前記室外機８内には圧縮機１２と、冷房サイクルと暖房サイクルを切り替える四方弁１３、室外熱交換器１４、膨張弁１５を備え、前記室内機１の室内熱交換器１０とを含めて冷媒配管で連通して冷凍回路１６を形成し、この冷凍回路１６内をＲ４１０等の冷媒が循環して室温調整を行うものである。また、凝縮器として働く室外熱交換器１４に流入した冷媒は室外送風ファン１７で供給された室外空気によって凝縮されている。
また、冷凍回路１６の四方弁１３と室内熱交換器１０とを連通する冷媒配管と、冷凍回路１６の膨張弁１５と室外熱交換器１４とを連通する冷媒配管をバイパスするバイパス管１８には、バイパス管１８の開閉を行う二方弁１９が備えられている。
【００１８】
２０は室外熱交換器１４の膨張弁１５側の冷媒配管に設けられた冷凍回路１６内の冷媒の温度を検出する室外熱交冷媒温度センサで、霜の付着状態の判断材料とされる。２１は外気温を検出する外気温センサで、室外機８内の送風経路（図示せず）で室外送風ファン１７の上流側に取り付けられ外気温を検出するものである。２２は圧縮機１２の吸入側の冷媒配管に設けられた吸入温度センサで、冷凍回路１６内の冷媒の温度を検出するものである。
【００１９】
前記室外制御部９は、室内制御部５からの信号や外気温センサ２１の値から、情報を得ながら圧縮機１２の運転周波数を決め、インバータ制御し、このインバータ制御はコンバータから出力される直流電流を、三相の交流電力に変換して圧縮機１２を駆動している。
【００２０】
２３は着霜検出手段で、前記熱交冷媒温度や前記外気温だけでなく、前記吸入温度等の冷凍回路１６内の冷媒の温度で室外熱交換器１４の着霜を検出する。２４は除霜判定手段で、前記着霜検出手段２３で検出した着霜や冷凍回路１６の状態と、暖房運転の継続時間や前回の着霜運転終了からの継続時間、または外気温が一定の温度以下に低下してからの継続時間によって除霜運転の開始や除霜運転解除の判定を行う。
【００２１】
２５は停電時記憶手段であり、停電した時に停電する前の前記通常運転の種類と、通常運転の種類が除霜運転だったときは除霜運転が継続した時間の除霜運転継続時間とを記憶する。２６は停電復帰時制御手段で、停電復帰時に停電時記憶手段２５で記憶した前記通常運転の種類で運転を再開させる。２７は停電復帰時除霜要否判定手段であり、停電復帰後の除霜運転の要否を判定する。停電除霜要否判定手段２７が停電復帰時に除霜運転が必要無いと判定した場合、停電時復帰制御手段２６は除霜運転を再開させずに暖房運転に切り替えて運転を再開させる。
【００２２】
そして、停電復帰時除霜要否判定手段２７は、停電時記憶部２５で記憶した停電前の前記除霜運転継続時間に基づいた基準、または、停電復帰後に室外熱交冷媒温度センサ２０で検出した熱交冷媒温度または吸入温度センサ２２で検出した吸入温度に基づいた基準で、除霜運転の要否の判定を行う。
【００２３】
暖房運転では図１の実線矢印で示すように、二方弁１９を閉状態にして、圧縮機１２、四方弁１３、室内熱交換器１０、膨張弁１５、室外熱交換器１４、四方弁１３の方向で冷媒が循環することで、室外熱交換器１４は低温になり、室外送風ファン１７によって外気から熱を汲み上げ、室内熱交換器１０は高温になり室内送風ファン１１で温風を室内に吹き出すことで室内の暖房をするものである。そして、外気温が低いときには霜が発生し、この霜が成長して室外熱交換器１４を覆った場合には、熱交換ができなくなってしまうので、定期的に除霜運転が必要になる。
【００２４】
暖房運転時での前記除霜運転には、暖房サイクル除霜運転と冷房サイクル除霜運転の少なくとも二つの除霜運転の種類があり、適宜運転状態に合わせた除霜運転を行っている。
【００２５】
まず、暖房サイクル除霜運転は、二方弁１９を開状態にすることで圧縮機１２から高温の冷媒の一部を室外熱交換器１４に循環させて加熱し、室外熱交換器１４に付着した霜を溶かすものであり、暖房サイクル除霜運転では図１の実線で示すように、圧縮機１２、四方弁１３、室内熱交換器１０、膨張弁１５、室外熱交換器１４、四方弁１３の方向と、二方弁１９を開状態としたことで、圧縮機１２、四方弁１３、二方弁１９、室外熱交換器１４、四方弁１３の方向とを冷媒が循環することで、室内熱交換器１０は高温になり、室内熱交換器１０は高温になり室内送風ファン１１で温風を室内に吹き出すことで室内の暖房をすると共に、高温の冷媒の一部が室外熱交換器１４に循環され、この熱により室外熱交換器１４の表面に付着した霜を溶かす暖房サイクル除霜運転をするものである。
【００２６】
また、冷房サイクル除霜運転は、四方弁１３を切替え、二方弁１９を閉状態にして、圧縮機１２から高温の冷媒をそのまま室外熱交換器１４に流すことで加熱し、室外熱交換器１４に付着した霜を溶かすものであり、冷房運転での冷媒循環方向で、図１の破線で示すように、圧縮機１２、四方弁１３、室外熱交換器１４、膨張弁１５、室内熱交換器１０、四方弁１３の方向で冷媒が循環することで、室内熱交換器１０は低温になってしまうが、室内送風ファン１１の駆動を停止させて、室内に冷風を流さないようにすることで、室温を下がらないようにすると共に、室外熱交換器１４は高温になり、この熱により室外熱交換器１４の表面に付着した霜を溶かす冷房サイクル除霜運転をするものである。
【００２７】
また、冷房運転では図１の破線で示すように、四方弁１３を切り替え、二方弁１９を閉状態にして、圧縮機１２、四方弁１３、室外熱交換器１４、膨張弁１５、室内熱交換器１０、四方弁１３の方向で冷媒が循環することで、室内熱交換器１０は低温になり室内送風ファン１１で冷風を室内に吹き出すことで室内の冷房をするものである。
【００２８】
上記説明のように、冷房サイクル除霜運転は圧縮機１２で高温にした冷媒をそのまま室外熱交換器１４に流すので、室外熱交換器１４に付着した霜が溶けるのが早く、熱交冷媒温度センサ２０で検出する冷媒の温度も高くなるが、暖房サイクル除霜運転は圧縮機１２で高温にした冷媒の一部をバイパスさせて室外熱交換器１４に流すので、室外熱交換器１４に付着した霜が溶けるのが遅く、吸入温度センサ２２で検出する冷媒の温度も高くならないが室内の暖房も同時に行うことができる。
【００２９】
このように、前記除霜運転の種類の違いで除霜運転にかかる時間や冷媒の温度を検出する場所が異なるので、停電復帰時除霜要否判定手段２７が停電復帰後の除霜運転の要否を判定するときには、停電前の前記除霜運転の種類に応じて、除霜要否の判定を変える必要がある。
【００３０】
次に停電から復帰したときの制御について図２のフローチャートに基づいて説明する。
停電から復帰すると、停電時記憶手段２５で記憶された空気調和機の前記通常運転中であったかを確認する（Ｓ１）。運転中ではなかった場合は（Ｓ１がＮＯ）、そのまま運転再開せず、運転待機状態を続ける（Ｓ２）。運転中だった場合は（Ｓ１がＹＥＳ）、次に停電前の前記通常運転の種類が冷房運転だったかを確認する（Ｓ３）。そして、停電前が冷房運転だった場合（Ｓ３がＹＥＳ）、停電時復帰時制御手段２６は停電復帰時に停電時記憶手段２５で記憶した前記通常運転の種類である冷房運転を再開させる（Ｓ４）。また、停電前が冷房運転以外だった場合は（Ｓ３がＮＯ）、次に停電前が除霜運転だったかを確認する（Ｓ５）。停電前が除霜運転ではなかった場合は（Ｓ５がＮＯ）、停電復帰時制御手段２６は停電復帰時に停電時記憶手段２５で記憶した前記通常運転の種類である暖房運転を再開する（Ｓ６）。
【００３１】
停電前の運転が除霜運転だった場合は（Ｓ５がＹＥＳ）、停電前の除霜運転が冷房サイクル除霜運転であるか確認し（Ｓ７）、停電前が冷房サイクル除霜運転だった場合（Ｓ７がＹＥＳ）、停電復帰時除霜要否判定手段２７は停電復帰時の室外熱交冷媒温度センサ２０で検出された熱交冷媒温度が所定熱交冷媒温度未満（ここでは８℃）であるかの条件、または、停電時記憶手段２５で記憶した除霜運転継続時間が第１の所定時間（ここでは５分）未満であるかの条件のどちらか一方の条件を満たさない場合（Ｓ８がＮＯ）、停電復帰時除霜要否判定手段２７は、停電復帰後に熱交冷媒温度センサ２０で検出した熱交冷媒温度が８℃以上なので、停電中の室外熱交換器１４内の冷媒は温かい状態が続いている、または、停電時記憶手段２５で記憶した除霜運転継続時間が５分以上なので、停電前の除霜運転の時間が長く室外熱交換器１４が充分に温められているので、停電復帰後に除霜運転は必要無いという判定をし、停電復帰時制御手段２６は除霜運転を再開せず暖房運転に切り替えて運転を再開する（Ｓ６）。
【００３２】
また、どちらの条件も満たす場合（Ｓ８がＹＥＳ）、停電復帰時制御手段２６は停電復帰時に停電時記憶手段２５で記憶した前記通常運転の種類である冷房サイクル除霜運転を再開する（Ｓ９）。
【００３３】
停電前の除霜運転が冷房サイクル除霜運転ではなかった場合（Ｓ７がＮＯ）、停電前の除霜運転は暖房サイクルによる暖房サイクル除霜運転であるので、冷房サイクル除霜運転とは異なる条件で除霜要否の判定を行う。停電復帰時除霜要否判定手段２７は停電復帰時の吸入温度センサ２２で検出された吸入温度が所定吸入温度未満（ここでは５℃）であるかの条件、または、停電時記憶手段２５で記憶した除霜運転継続時間が第２の所定時間未満（ここでは８分）であるかの条件のどちらか一方の条件を満たさない場合（Ｓ１０がＮＯ）、停電復帰時除霜要否判定手段２７は、停電復帰後に吸入温度センサ２２で検出した吸入温度が５℃以上なので、停電復帰後の室外熱交換器１４内の冷媒は温かい状態が続いている、または、停電時記憶手段２５で記憶した除霜運転継続時間が８分以上なので、停電前の除霜運転の時間が長く室外熱交換器１４が充分に温められているので、停電復帰後に除霜運転は必要無いという判定をし、停電復帰時制御手段２６は除霜運転を再開せず暖房運転に切り替えて運転を再開する（Ｓ６）。
【００３４】
また、どちらの条件も満たす場合（Ｓ６がＹＥＳ）、停電復帰時制御手段２６は停電復帰時に停電時記憶手段２５で記憶した前記通常運転の種類である暖房サイクル除霜運転を再開する（Ｓ１１）。
【００３５】
このように、停電復帰時除霜要否判定手段２７が停電復帰時に除霜運転が必要無いと判定した場合、停電時制御手段２６は除霜運転を再開させずに暖房運転に切り替えて運転を再開させることで、停電復帰後に不必要な除霜運転を行うことを防止することができ、効率的な暖房運転を行うことができる。
【００３６】
また、停電復帰時除霜要否判定手段２７は、前記除霜運転の種類の違いで、前記除霜運転継続時間や熱交冷媒温度または吸入温度の基準を変更することで、前記除霜運転の種類の違いで除霜要否が異なる場合でも、停電復帰後に不必要な除霜運転を行うことを防止することができ、効率的な暖房運転を行うことができる。
【００３７】
なお、本発明は実施形態に限定されるものではなく、要旨を変更しない範囲で改変することを妨げるものではなく、例えば、停電前の除霜運転継続時間の第１の所定時間を５分、第２の所定時間を８分、停電復帰時の所定熱交冷媒温度を８℃、停電復帰時の所定吸入温度を５℃となっているが、それぞれ冷媒の種類や空気調和機の仕様に合わせて適宜時間や温度を変更してもよいものである。
【符号の説明】
【００３８】
１    室内機
５    室内制御部
８    室外機
９    室外制御部
１０  室外熱交換器
１２  圧縮機
１３  四方弁
１４  室外熱交換器
１５  膨張弁
１６  冷凍回路
２０  室外熱交冷媒温度センサ
２１  外気温センサ
２２  吸入温度センサ
２３  着霜検出手段
２４  除霜判定手段
２５  停電時記憶手段
２６  停電復帰時制御手段
２７  停電復帰時除霜要否判定手段
【図１】
2016180551.tif 000003
【図２】
2016180551.tif 000004